(57)【要約】【課題】  簡単な操作でサンルーフガラスを全開或いは全閉にスライドさせることができるスイッチ構造を提供する。【解決手段】  ダイヤルノブ１０３の回転に連動して接点が切り替わる中空スイッチ１０１と、中空スイッチの内側に設けられていてダイヤルノブのプッシュ操作により押されてＯＮになるロータリースイッチ１０２と、を備えたスイッチ構造１００であって、ダイヤルノブのロータリースイッチ側への移動を規制するホルダーを備え、ダイヤルノブがホルダーに向けて突出する凸部１０３Ｂを有し、ホルダーがスリット，凹み，穴等の挿入部を有しており、ダイヤルノブの凸部１０３Ｂがホルダーの挿入部上に在るときにのみ、ダイヤルノブが押されてロータリースイッチがＯＮになる。【選択図】  図４
2007032172.tif 000002
【特許請求の範囲】
【請求項１】
ダイヤルノブの回転に連動して接点が切り替わる中空スイッチと、該中空スイッチの内側に設けられていて上記ダイヤルノブのプッシュ操作により押されてＯＮになるロータリースイッチと、を備えたスイッチ構造であって、
上記ダイヤルノブの上記ロータリースイッチ側への移動を規制するホルダーを備え、
上記ダイヤルノブが上記ホルダーに向けて突出する凸部を有し、
上記ホルダーがスリット，凹み，穴等の挿入部を有しており、
上記ダイヤルノブの凸部が上記ホルダーの挿入部上に在るときにのみ、上記ダイヤルノブが押されて上記ロータリースイッチがＯＮになることを特徴とする、スイッチ構造。
【請求項２】
スイッチと、サンルーフのガラスをスライド移動させるモーターと、該ガラスの移動量を検知するガラス検知装置と、上記スイッチからの信号と上記ガラス検知装置からの信号とに基づいて上記モーターを制御する制御装置と、を備えたサンルーフ開閉システムであって、
上記スイッチが、全閉目盛位置から全開目盛位置の間で回転可能に支持されたダイヤルノブと、該ダイヤルノブの回転に連動して接点が切り替わる中空スイッチと、該中空スイッチの内側に設けられていて上記ダイヤルノブのプッシュ操作により押されてＯＮになるロータリースイッチと、上記ダイヤルノブの上記ロータリースイッチ側への移動を規制するホルダーと、を備え、
上記ダイヤルノブが上記ホルダーに向けて突出する凸部を有し、
上記ホルダーがスリット，凹み，穴等の挿入部を有しており、
上記挿入部が、全閉目盛位置に在るダイヤルノブの上記凸部に対応して設けられていて、
上記ダイヤルノブの凸部が上記ホルダーの挿入部上に在るときにのみ、上記ダイヤルノブが押されて上記ロータリースイッチがＯＮになり、
上記ダイヤルノブが全閉目盛位置に在り、且つ、上記ガラスも全閉状態に在る場合に、上記ダイヤルノブをプッシュ操作して上記ロータリースイッチがＯＮになると、上記制御装置が上記ガラスを全開位置までスライドさせるように上記モーターを制御することを特徴とする、サンルーフ開閉システム。
【請求項３】
スイッチと、サンルーフのガラスをスライド移動させるモーターと、該ガラスの移動量を検知するガラス検知装置と、上記スイッチからの信号と上記ガラス検知装置からの信号とに基づいて上記モーターを制御する制御装置と、を備えたサンルーフ開閉システムであって、
上記スイッチが、全閉目盛位置から全開目盛位置の間で回転可能に支持されたダイヤルノブと、該ダイヤルノブの回転に連動して接点が切り替わる中空スイッチと、該中空スイッチの内側に設けられていて上記ダイヤルノブのプッシュ操作により押されてＯＮになるロータリースイッチと、上記ダイヤルノブの上記ロータリースイッチ側への移動を規制するホルダーと、を備え、
上記ダイヤルノブが上記ホルダーに向けて突出する凸部を有し、
上記ホルダーがスリット，凹み，穴等の挿入部を有しており、
上記挿入部が、全閉目盛位置に在るダイヤルノブの上記凸部に対応して設けられていて、
上記ダイヤルノブの凸部が上記ホルダーの挿入部上に在るときにのみ、上記ダイヤルノブが押されて上記ロータリースイッチがＯＮになり、
上記ダイヤルノブが全閉目盛位置に在り、且つ、上記ガラスが全開に或いは部分的に開いている場合に、上記ダイヤルノブをプッシュ操作して上記ロータリースイッチがＯＮになると、上記制御装置が上記ガラスを全閉位置までスライドさせるように上記モーターを制御することを特徴とする、サンルーフ開閉システム。
【請求項４】
前記ダイヤルノブが全閉目盛位置に在り、且つ、前記ガラスも全閉状態に在る場合に、前記ダイヤルノブをプッシュ操作して前記ロータリースイッチがＯＮになると、前記制御装置が前記ガラスを全開位置までスライドさせるように前記モーターを制御することを特徴とする、請求項３に記載のサンルーフ開閉システム。
【発明の詳細な説明】
【技術分野】
【０００１】
本発明は、自動車のスライドルーフのスイッチ構造とそれを備えたサンルーフ開閉システムに関する。
【背景技術】
【０００２】
自動車のサンルーフは、例えば、ルーフに形成したルーフ開口部にサンルーフガラスなどのサンルーフガラスを取り付けて構成されている。
また、サンルーフとしては、例えば、サンルーフガラスがスライドしてルーフ開口部が開き、外気を室内に取り込めるようにしたスライド式のものも知られている。
【０００３】
そして、スライド式のサンルーフにおいて、サンルーフガラスがモーターによってスライドするものが普及しており、この種のスライド式のサンルーフは、車室内に設けられたスイッチを操作することで、開いたり閉じたりすることができるようになっている。
【０００４】
このようなスイッチとして、図７に示すようなシーソー式のスイッチ８０が知られている。しかし、近年においては、利用の簡便性を鑑みて、図８に示すような、ダイヤル式のスイッチ９０を利用したものも知られている。
【０００５】
図８に示すような、ダイヤル式のスイッチ９０は、凹部を有するケース９１と、ケース表面に記された全閉目盛位置から全開目盛位置の間で回転可能に凹部内に支持されたダイヤルノブ９２と、を備えており、図８に示すダイヤルノブ９２の姿勢位置がサンルーフガラスの全閉位置に対応し、この状態からダイヤルノブ９２を時計回りに全開位置の目印まで回転することができるように構成されている。
【０００６】
このようなスイッチ９０においては、ダイヤルノブ９２の回転位置とサンルーフガラスの開き度合いとが１対１に対応している。そして、ダイヤルノブ９２をダイヤル目盛の全閉目盛位置から全開目盛位置の間の所望の位置に移動させることで、サンルーフガラスの開き具合を調節することができるようになっている。即ち、ダイヤルノブ９２を所望の回転角度に回転させることで、例えばダイヤルノブ９２の内側に設けた中空スイッチの接点が切り替えられ、その信号を受けた制御装置がモーターを制御してサンルーフガラスをスライドさせる。
【０００７】
また、図８に示すダイヤル式のスイッチ９０においては、ダイヤルノブ９２を図８に示す姿勢位置から反時計回りにチルトアップの目盛位置に回転させると、サンルーフガラスがチルトアップするようになっている。なお、ダイヤルノブ９２がチルトアップの目盛位置に回転すると、上記ロータリースイッチの接点が切り替えられ、その信号を受信した制御装置が、サンルーフガラスをチルトアップする駆動機構部に制御信号を送るようになっている。
【０００８】
このように、ダイヤルノブの回転位置に応じてサンルーフガラスの開き度合いを変えるサンルーフ開閉システムが、特許文献１に開示されている。
【特許文献１】特開平１０−２２７１７７号公報
【発明の開示】
【発明が解決しようとする課題】
【０００９】
しかし、一般的にサンルーフガラスを全開位置で使用する頻度が多いので、図８に示すダイヤル式のスイッチ９０を操作してサンルーフガラスを全開位置にスライドさせる際には、ユーザーはダイヤルノブ９２を全閉目盛位置から全開目盛位置までフル回転させる必要があり、簡単な操作でサンルーフガラスを全開させることができなかった。
【００１０】
また、サンルーフガラスのスライドを、スイッチ９０の他に、ワイヤレスのリモートコントロールによって操作が出来るようにした場合、スイッチ９０のダイヤルノブ９２が全閉目盛位置にある状態でリモートコントロールを操作してサンルーフガラスをスライドさせると、サンルーフガラスの開き度合いとスイッチ９０のダイヤルノブ９２の位置とにズレが生じ、その場合に、スイッチ９０によってサンルーフガラスを全閉させるには、ダイヤルノブ９２を一旦全閉目盛位置から開き方向に回し、その後に全閉目盛位置に戻す必要があり、簡単な操作でサンルーフガラスを全閉することができなかった。
【００１１】
本発明は、このような事情を鑑みて創作されたものであり、簡単な操作でサンルーフガラスを全開或いは全閉にスライドさせることができるスイッチ構造及びそれを備えたサンルーフ開閉システムを提供することを目的とする。
【課題を解決するための手段】
【００１２】
上記目的を達成するために、本発明は、ダイヤルノブの回転に連動して接点が切り替わる中空スイッチと、中空スイッチの内側に設けられていてダイヤルノブのプッシュ操作により押されてＯＮになるロータリースイッチと、を備えたスイッチ構造であって、ダイヤルノブのロータリースイッチ側への移動を規制するホルダーを備え、ダイヤルノブがホルダーに向けて突出する凸部を有し、ホルダーがスリット，凹み，穴等の挿入部を有しており、ダイヤルノブの凸部がホルダーの挿入部上に在るときにのみ、ダイヤルノブが押されてロータリースイッチがＯＮになることを特徴としている。
【００１３】
また、上記目的を達成するために、本発明は、スイッチと、サンルーフのガラスをスライド移動させるモーターと、ガラスの移動量を検知するガラス検知装置と、スイッチからの信号とガラス検知装置からの信号とに基づいてモーターを制御する制御装置と、を備えたサンルーフ開閉システムであって、スイッチが、全閉目盛位置から全開目盛位置の間で回転可能に支持されたダイヤルノブと、ダイヤルノブの回転に連動して接点が切り替わる中空スイッチと、中空スイッチの内側に設けられていてダイヤルノブのプッシュ操作により押されてＯＮになるロータリースイッチと、ダイヤルノブのロータリースイッチ側への移動を規制するホルダーと、を備え、ダイヤルノブがホルダーに向けて突出する凸部を有し、ホルダーがスリット，凹み，穴等の挿入部を有しており、この挿入部が、全閉目盛位置に在るダイヤルノブの凸部に対応して設けられていて、ダイヤルノブの凸部がホルダーの挿入部上に在るときにのみ、ダイヤルノブが押されてロータリースイッチがＯＮになり、ダイヤルノブが全閉目盛位置に在り、ガラスも全閉状態に在る場合に、ダイヤルノブをプッシュ操作してロータリースイッチがＯＮになると、制御装置がガラスを全開位置までスライドさせるようにモーターを制御することを特徴としている。
【００１４】
また、上記目的を達成するために、本発明は、スイッチと、サンルーフのガラスをスライド移動させるモーターと、ガラスの移動量を検知するガラス検知装置と、スイッチからの信号とガラス検知装置からの信号とに基づいてモーターを制御する制御装置と、を備えたサンルーフ開閉システムであって、スイッチが、全閉目盛位置から全開目盛位置の間で回転可能に支持されたダイヤルノブと、ダイヤルノブの回転に連動して接点が切り替わる中空スイッチと、中空スイッチの内側に設けられていてダイヤルノブのプッシュ操作により押されてＯＮになるロータリースイッチと、ダイヤルノブのロータリースイッチ側への移動を規制するホルダーと、を備え、ダイヤルノブがホルダーに向けて突出する凸部を有し、ホルダーがスリット，凹み，穴等の挿入部を有しており、挿入部が、全閉目盛位置に在るダイヤルノブの凸部に対応して設けられていて、ダイヤルノブの凸部がホルダーの挿入部上に在るときにのみ、ダイヤルノブが押されてロータリースイッチがＯＮになり、ダイヤルノブが全閉目盛位置に在り、ガラスが全開に或いは部分的に開いている場合に、ダイヤルノブをプッシュ操作してロータリースイッチがＯＮになると、制御装置がガラスを全閉位置までスライドさせるようにモーターを制御することを特徴としている。
【発明の効果】
【００１５】
このように、本発明によれば、ダイヤルノブの凸部がホルダーの挿入部上に在るときにのみ、ダイヤルノブが押されてロータリースイッチがＯＮになり、ダイヤルノブが全閉目盛位置に在り、且つ、ガラスも全閉状態に在る場合には、制御装置がガラスを全開位置までスライドさせるようにモーターを制御する。したがって、ユーザーは、ダイヤルノブを全閉位置から全開位置までフル回転させる必要はなく、単にダイヤルノブをプッシュするだけで、ガラスを全開位置まで自動的に開くことができる。
【００１６】
また、サンルーフガラスのスライドを、スイッチの他に、ワイヤレスのリモートコントロールによって操作が出来るようにした場合、スイッチのダイヤルノブが全閉位置にある状態でリモートコントロールを操作してサンルーフガラスをスライドさせると、サンルーフガラスの開き具合とスイッチのダイヤルノブの位置とのズレが生じるが、その場合にも単にダイヤルノブをプッシュするだけで、ガラスを全閉位置まで自動的に閉じることができる。
【００１７】
このように本発明によれば、ワンタッチで、サンルーフガラスの全開と全閉操作を行うことができるので、スイッチの使用性、商品性が向上する。
【発明を実施するための最良の形態】
【００１８】
以下、図面に基づいて本発明の実施形態を説明する。
図１は、本発明の実施形態に係るサンルーフ開閉システム１を示す概略図であり、サンルーフ開閉システム１は、ダイヤル式のスイッチ１０と、制御装置２０と、モーター３０と、ガラス移動感知装置４０と、リモコン信号受信装置５０と、を備えている。
【００１９】
スイッチ１０は、凹部を有するケース１１と、ケース表面に記された全閉目盛位置から全開目盛位置の間で回転可能に凹部内に支持されたダイヤルノブ１２と、を備えている。さらに、スイッチ１０は、ダイヤルノブ１２の回転に応じて接点が切り替わる中空スイッチ（図示省略）を備えている。なお、中空スイッチの信号は、制御装置２０へ送られるようになっている。
【００２０】
制御装置２０は、スイッチ１０からの信号に基づいてモーター３０を制御するものである。モーター３０は、サンルーフガラスをスライド移動させるものである。なお、モーター３０の回転に応じて、例えば、回転センサ（図示省略）がパルス信号を発生させ、このパルス信号をガラス移動感知装置４０がカウントして、カウント値を制御装置２０へ送出するようになっている。
【００２１】
そして、制御装置２０においては、例えば、ガラス移動感知装置４０からの信号と、ダイヤルノブ１２を回転した際に切り替わった接点によるスイッチ１０からの信号と、に基づいてＲＯＭに記憶されているプログラムを実行して、サンルーフガラスのスライド方向、即ち開き方向或いは閉じ方向、またスライド量を判断して、モーター３０を制御するようになっている。
【００２２】
また、リモコン信号受信装置５０にて受信した信号は制御装置２０に送られ、制御装置２０が、リモコン信号に基づいてモーター３０を制御することで、サンルーフガラスは、開き方向或いは閉じ方向にスライドするようになっている。
【００２３】
このような構成は従来知られているが、本発明の実施形態に係るサンルーフ開閉システム１は、以下のように構成されている点に特徴がある。
先ず、ダイヤル式のスイッチ１０は、内部にロータリースイッチを備えており、このロータリースイッチのプッシュ操作がダイヤルノブ１２が全閉目盛位置にあるときにのみ可能に構成されている。
【００２４】
ここで、図２（Ａ）は図１のＡ−Ａ′線端面図であり、図２（Ｂ）は図１のＢ−Ｂ′線端面図である。図２（Ａ）及び図２（Ｂ）に示すように、スイッチ１０のダイヤルノブ１２の側面には凸部１２Ａが形成されている。そして、図２（Ｂ）に示すように、ダイヤルノブ１２が回転してダイヤルノブ１２の目印が全閉目盛位置以外に在るときに、ダイヤルノブ１２を押しても、ダイヤルノブ１２の凸部１２Ａがケース１１の内周面から突出した突片１１Ａに衝接して、ダイヤルノブ１２のプッシュ動作が規制されている。なお、凸部１２Ａは、ダイヤルノブ１２の底面から下側に向けて突出したものでもよい。
【００２５】
一方、ダイヤルノブ１２が全閉目盛位置に在るとき、図２（Ａ）に示すように、ダイヤルノブ１２が押される方向Ａにおいて凸部１２Ａの進行を遮るものがないので、ダイヤルノブ１２をプッシュすることができる。そして、ダイヤルノブ１２をプッシュすると、ロータリースイッチ１３がＯＮになり、その信号が制御装置２０へ送られる。
【００２６】
また、本発明の実施形態に係るサンルーフ開閉システム１では、制御装置２０が、下記（１），（２）のように、動作する点も特徴の一つである。
（１）ダイヤル全閉位置でガラス全閉位置の場合
スイッチ１０のダイヤルノブ１２が全閉目盛位置に在り、且つ、サンルーフガラスも全閉状態に在る場合に、ダイヤルノブ１２をプッシュ操作してロータリースイッチ１３がＯＮになると、制御装置２０は、ガラス移動感知装置４０からの信号と、ロータリースイッチ１３のＯＮ信号と、に基づいて、サンルーフガラスを全開位置までスライドさせるようにモーター３０を制御する。
（２）ダイヤル全閉位置でガラスが全閉以外の位置に在る場合
スイッチ１０のダイヤルノブ１２が全閉目盛位置に在り、且つ、サンルーフガラスが全開に或いは部分的に開いている場合に、ダイヤルノブ１２をプッシュ操作してロータリースイッチ１３がＯＮになると、制御装置２０は、ガラス移動感知装置４０からの信号と、ロータリースイッチ１３のＯＮ信号とに基づいて、サンルーフガラスを全閉位置までスライドさせるようにモーター３０を制御する。
なお、上記（１），（２）の制御を行うように、制御装置２０のＲＯＭには予めプログラムが組み込まれている。
【実施例】
【００２７】
ここで、図３は本発明の実施例に係るスイッチ１００を示す分解図であり、図４及び図５はスイッチ１００の斜視図である。図３及び図４に示すように、スイッチ１００は、中空スイッチ１０１の内部にロータリースイッチ１０２を配設し、このロータリースイッチ１０２の回転軸１０２Ａをダイヤルノブ１０３の軸受部１０３Ａに嵌合して、ダイヤルノブ１０３がロータリースイッチ１０２に取り付けられている。
【００２８】
また、図５に示すように、中空スイッチ１０１の内部には、Ｃ状に形成したホルダー１０４が配設されており、このホルダー１０４にダイヤルノブ１０３の底面から下側に突出した凸部１０３Ｂ（図４）が衝接することで、ダイヤルノブ１０３のプッシュ操作が規制されている。
一方、ダイヤルノブ１０３の凸部１０３Ｂが、ホルダー１０４のスリット１０４Ａの上側に位置するときには、ダイヤルノブ１０３をプッシュすることができるようになっている。
また、中空スイッチ１０１の筒部材１０１Ａには、切欠部１０１Ｂが形成されている。この切欠部１０１Ｂにダイヤルノブ１０３の係止片（図示省略）が係止していることで、ダイヤルノブ１０３が回転すると中空スイッチ１０１の筒部材１０１Ａも回転するようになっている。
【００２９】
このように構成されたスイッチ１００においては、ダイヤルノブ１０３を回転すると、ダイヤルノブ１０３と共に中空スイッチ１０１の筒部材１０１Ａが回転して、中空スイッチ１０１の接点（図示省略）が切り替わる。そして、例えば「００１０」，「０１００」等の４ビットの信号が中空スイッチ１０１から上記制御装置２０へ送られる。
【００３０】
また、ダイヤルノブ１０３の凸部１０３Ｂがホルダー１０４のスリット１０４Ａの上側に位置するときにダイヤルノブ１０３を押すと、ダイヤルノブ１０３の凸部１０３Ｂの先端部がホルダー１０４のスリット１０４Ａ内に進入し、その際にロータリースイッチ１０２の回転軸１０２Ａも押されてＯＮになる。そして、ロータリースイッチ１０２のＯＮ信号が上記制御装置２０へ送られる。
【００３１】
このように構成されたサンルーフ開閉システム１によれば、サンルーフガラスの開閉を簡単な操作で行うことができて便利である。即ち、スイッチ１０，１００のダイヤルノブ１２，１０３が全閉目盛位置に在り、且つ、サンルーフガラスも全閉状態に在る場合に、ダイヤルノブ１２，１０３をプッシュするだけで、サンルーフガラスを全開位置まで自動式にスライドさせることができる。
【００３２】
また、スイッチ１０，１００のダイヤルノブ１２，１０３が全閉目盛位置に在るが、リモコン操作によりサンルーフガラスが全開に或いは部分的に開いている場合には、ダイヤルノブ１２，１０３をプッシュするだけで、サンルーフガラスを全閉位置まで自動式にスライドさせることができる。
このように、本発明の実施形態に係るサンルーフ開閉システム１によれば、従来のダイヤル式のスイッチ９０に比べて、スイッチ１０，１００の使用性能が向上されている。
【００３３】
以上説明したが、本発明は、その趣旨を逸脱しない範囲において様々な形態で実施できる。上記説明では、スイッチ１０，１００の取付位置を限定していないが、従来のスイッチの配置位置と同じ位置に設置することができ、例えば、車両の天井や、インストルメントパネルなどに設置されることができる。
【００３４】
また、上記の説明では、スイッチ１０，１００のダイヤルノブ１２，１０３をチルトアップに切り替えることができることについては説明しなかったが、従来技術と同様に、チルトアップへの切替機能を付加して構成してもよいことは勿論である。
【００３５】
また、上記説明では、図４に示すように、ダイヤルノブ１０３の凸部１０３Ｂが中空スイッチ１０１の筒部材１０１Ａの内側に進入するようにその配置位置が設定され、それに対応して、ホルダー１０４も図５に示すように中空スイッチ１０１の内側に配設された構成を例示したが、図６に示すように、ダイヤルノブ１０３の凸部１０３Ｂは中空スイッチ１０１の筒部材１０１Ａの外側に位置し、それに対応してホルダー１０４が中空スイッチ１０１の筒部材１０１Ａの外側に配置されるようにしてもよい。
【００３６】
さらに上記説明では、ホルダー１０４がＣ字状に形成される場合を例示したが、この形状に限定されるものではない。また、上記説明では、ダイヤルノブ１０３の凸部１０３Ｂが入ることができるように、ホルダー１０４にスリット１０４Ａが形成されているが、このスリット１０４Ａの代わりに凹み，穴等の挿入部をホルダーに形成してもよい。
【図面の簡単な説明】
【００３７】
【図１】本発明の実施形態に係るサンルーフ開閉システムを示す概略図である。
【図２】（Ａ）は図１のＡ−Ａ′線端面図であり、（Ｂ）は図１のＢ−Ｂ′線端面図である。
【図３】本発明の実施形態に係るスイッチの実施例を示す分解図である。
【図４】本発明の実施形態に係るスイッチの実施例を示す斜視図である。
【図５】本発明の実施形態に係るスイッチの実施例を示す斜視図である。
【図６】本発明のスイッチ構造の他の実施例を示す斜視図である。
【図７】従来のシーソー式のスイッチを示す斜視図である。
【図８】従来のダイヤル式のスイッチを示す斜視図である。
【符号の説明】
【００３８】
１  サンルーフ開閉システム
１０  スイッチ
１１  ケース
１１Ａ  突片
１２  ダイヤルノブ
１２Ａ  凸部
１３  ロータリースイッチ
２０  制御装置
３０  モーター
４０  ガラス移動感知装置
５０  リモコン信号受信装置
１００  スイッチ
１０１  中空スイッチ
１０１Ａ  筒部材
１０２  ロータリースイッチ
１０２Ａ  回転軸
１０３  ダイヤルノブ
１０３Ａ  軸受部
１０３Ｂ  凸部
１０４  ホルダー
１０４Ａ  スリット
【図１】
2007032172.tif 000003
【図２】
2007032172.tif 000004
【図３】
2007032172.tif 000005
【図４】
2007032172.tif 000006
【図５】
2007032172.tif 000007
【図６】
2007032172.tif 000008
【図７】
2007032172.tif 000009
【図８】
2007032172.tif 000010